(57)【要約】【課題】パネル材の端部を押さえる構成と、中間部材の端部を覆う構成とを有しつつ、簡易に構成される屋根体を提供すること。【解決手段】屋根体６は、所定方向に延びる一対の第１枠材６２と、一対の第１枠材６２に直交して延びる一対の第２枠材６３と、が方形状に枠組みされて形成されたフレーム体６１と、一対の第１枠材６２の間に複数並んで配置される複数の中間部材６４と、一対の第１枠材６２の間に複数並んで配置され、隣接する中間部材６４それぞれに連結される複数のパネル材６７と、複数のパネル材６７が並ぶ方向に延びて形成され、複数のパネル材６７の長手方向の端部を上方から押さえると共に、複数の中間部材６４の長手方向の端部の少なくとも一部を覆うように配置されるパネル押さえ部材６３３と、を備える。【選択図】図８Ａ
2019127756.tif 000002
【特許請求の範囲】
【請求項１】
所定方向に延びる一対の第１枠材と、前記一対の第１枠材に直交して延びる一対の第２枠材と、が方形状に枠組みされて形成されたフレーム体と、
前記一対の第１枠材の間に複数並んで配置される複数の中間部材と、
前記一対の第１枠材の間に複数並んで配置され、隣接する前記中間部材それぞれに連結される複数のパネル材と、
前記複数のパネル材が並ぶ方向に延びて形成され、前記複数のパネル材の長手方向の端部を上方から押さえると共に、前記複数の中間部材の長手方向の端部の少なくとも一部を覆うように配置されるパネル押さえ部材と、を備える屋根体。
【請求項２】
前記パネル押さえ部材は、前記複数のパネル材を押さえる側の端部において、前記中間部材が配置される部分において切り欠かれて形成される切り欠き部を有する請求項１に記載の屋根体。
【請求項３】
前記第２枠材には、上面から窪む枠材側樋が形成され、
前記パネル押さえ部材は、前記中間部材の長手方向の端部の少なくとも一部を覆う部分において、前記複数のパネル材の上面を流れる水を前記枠材側樋に流すように開口する開口部を有する請求項１又は２に記載の屋根体。
【発明の詳細な説明】
【技術分野】
【０００１】
本発明は、屋根体に関する。
【背景技術】
【０００２】
従来、柱材と、柱材に接続される屋根体と、を備える屋根構造体が知られている（例えば、特許文献１参照）。特許文献１に記載の屋根体は、方形状に枠組みされたフレーム体と、フレーム体の内側に並んで配置される複数の垂木と、隣接する垂木に連結された複数のパネル材と、を備えて構成される。屋根体において、パネル材の柱材側の端部を押さえるパネル押さえ部材が設けられることがある。
【先行技術文献】
【特許文献】
【０００３】
【特許文献１】特開２００１−２７９８２１号公報
【発明の概要】
【発明が解決しようとする課題】
【０００４】
ところで、屋根体において、垂木によりパネル材を連結しているが、垂木の端部の小口面が外部に露出することがあった。そのため、垂木の端部を覆うことで、意匠性を確保することが求められる。一方、前述のように、屋根体において、パネル材の柱材側の端部を押さえるパネル押さえ部材が設けられることがある。
ここで、パネル押さえ部材と垂木端部カバー部材との両方を屋根体に設ける場合には、屋根体の構成が複雑になり易いと共に、見た目も複雑になり易い。そのため、パネル材の端部を押さえる構成と、垂木（中間部材）の端部を覆う構成とを有しつつ、簡易な構成の屋根体が求められている。
【０００５】
本発明は、フレーム体の内側に並んで配置される複数の中間部材と、隣接する中間部材に連結された複数のパネル材と、を備え、パネル材の端部を押さえる構成と、中間部材の端部を覆う構成とを有しつつ、簡易に構成される屋根体を提供することを目的とする。
【課題を解決するための手段】
【０００６】
本発明は、所定方向に延びる一対の第１枠材（例えば、後述の前後枠材６２）と、前記一対の第１枠材に直交して延びる一対の第２枠材（例えば、後述の左右枠材６３）と、が方形状に枠組みされて形成されたフレーム体（例えば、後述のフレーム体６１）と、前記一対の第１枠材の間に複数並んで配置される複数の中間部材（例えば、後述の中間アーチ６４）と、前記一対の第１枠材の間に複数並んで配置され、隣接する前記中間部材それぞれに連結される複数のパネル材（例えば、後述のパネル材６７）と、前記複数のパネル材が並ぶ方向に延びて形成され、前記複数のパネル材の長手方向の端部を上方から押さえると共に、前記複数の中間部材の長手方向の端部の少なくとも一部を覆うように配置されるパネル押さえ部材（例えば、後述の左右枠材側パネル端部押さえ部材６３３）と、を備える屋根体（例えば、後述の屋根体６）に関する。
【０００７】
また、前記パネル押さえ部材は、前記複数のパネル材を押さえる側の端部において、前記中間部材が配置される部分において切り欠かれて形成される切り欠き部（例えば、後述の切り欠き部６３８ａ）を有することが好ましい。
【０００８】
また、前記第２枠材には、上面から窪む枠材側樋（例えば、後述の左右枠材側樋部６３２）が形成され、前記パネル押さえ部材は、前記中間部材の長手方向の端部の少なくとも一部を覆う部分において、前記複数のパネル材の上面を流れる水を前記枠材側樋に流すように開口する開口部（例えば、後述の切欠き開口６３９）を有することが好ましい。
【発明の効果】
【０００９】
本発明によれば、本発明は、フレーム体の内側に並んで配置される複数の中間部材と、隣接する中間部材に連結された複数のパネル材と、を備え、パネル材の端部を押さえる構成と、中間部材の端部を覆う構成とを有しつつ、簡易に構成される屋根体を提供することができる。
【図面の簡単な説明】
【００１０】
【図１】本発明の一実施形態に係るシェルターを斜め上方側から見た斜視図である。
【図２】本発明の一実施形態に係るシェルターを斜め下方側から見た斜視図である。
【図３】シェルターの屋根体の平面図である。
【図４】図３のＡ−Ａ線断面図である。
【図５】図３のＢ−Ｂ線断面図である。
【図６】湾曲加工する前の端部パネル材を示す平面図である。
【図７】図４のＣ−Ｃ線断面図である。
【図８Ａ】図４のＤ部分の拡大図である。
【図８Ｂ】図３のＥ−Ｅ線断面図である。
【図９】左右枠材側パネル端部押さえ部材を示す斜視図である。
【図１０】図５のＦ部分の拡大図である。
【図１１】図５のＧ部分の拡大図である。
【図１２】屋根体のコーナー部分の平面図である。
【図１３】屋根体のコーナー部分の分解斜視図である。
【図１４】図１２のＨ−Ｈ線断面図、Ｉ−Ｉ線断面図である。
【図１５】変形形態の片支持のシェルターを示す斜視図である。
【発明を実施するための形態】
【００１１】
以下、本発明の屋根構造体としてのシェルター１の一実施形態について、図面を参照しながら説明する。図１は、本発明の一実施形態に係るシェルター１を斜め上方側から見た斜視図である。図２は、本発明の一実施形態に係るシェルター１を斜め下方側から見た斜視図である。図３は、シェルター１の屋根体６の平面図である。図４は、図３のＡ−Ａ線断面図である。図５は、図３のＢ−Ｂ線断面図である。図６は、湾曲加工する前の端部パネル材６７２を示す平面図である。
【００１２】
本実施形態においては、屋根構造体を、シェルター１に適用した例について説明する。なお、本実施形態においては、屋根構造体をシェルター１に適用した例について説明するが、これに限定されない。例えば、屋根構造体を、シェルター以外の構造物、例えば、カーポート、駐輪場、休憩所、テラス、バス停などの構造物に適用してもよい。
【００１３】
なお、本実施形態の説明においては、２組の支柱２が並ぶ方向であって屋根体６の長手方向を前後方向ともいう。屋根体６の前後方向において、図１におけるシェルター１の右手前側を前側ともいい、シェルター１の左奥側を後側ともいう。また、屋根体６の長手方向に直交する方向を左右方向ともいう。屋根体６の左右方向において、図１におけるシェルター１の左手前側を左側ともいい、シェルター１の右奥側を右側ともいう。本実施形態においては、屋根体６は、四周を囲むフレーム体６１が水平方向にフラットに形成され、屋根体６の内部側においてアーチ状に上方側に湾曲して形成される。
【００１４】
まず、本実施形態のシェルター１の全体構造について説明する。本実施形態のシェルター１は、図１〜図３に示すように、屋根体６を左右方向の両側それぞれにおいて２つの支柱２で支持する、いわゆる、両支持構造のシェルターである。また、本実施形態のシェルター１は、２組の一対の支柱２の上端部に屋根体６が置かれる置き構造で構成される。
【００１５】
図１〜図５に示すように、本実施形態のシェルター１は、地面に立設される２組の支柱２（柱材）と、支柱２の側部に配置された支柱側部箱体３と、２組の支柱２の上端部に配置される屋根体６と、屋根体６の左右方向の両端部側に配置される一対の照明取付枠体８（図２参照）と、一対の照明取付枠体８に取り付けられる一対の直接照明装置８５（図２参照）と、を備える。
【００１６】
２組の支柱２（柱材）は、一対の支柱２が前後方向に２組並んで配置される。一対の支柱２は、シェルター１の左右方向の両側に配置され、屋根体６の左右方向の両端部の下部に接続される。支柱２は、アルミ材料の押出し形材で形成され、断面が中空状の中空部を有するホロー構造を有する。支柱２は、上下方向に延びて形成される。
【００１７】
屋根体６は、２組の支柱２の上端部の上部に配置される。屋根体６は、図１及び図２に示すように、フレーム体６１と、複数の中間アーチ６４（中間部材）と、複数のパネル材６７と、複数の左右枠材側パネル端部押さえ部材６３３と、一対の前後枠材側パネル端部カバー部材６２７と、を有する。フレーム体６１は、一対の前後枠材６２（第１枠材）と、一対の左右枠材６３（第２枠材）と、が方形状に枠組みされて水平方向にフラットに形成される。
【００１８】
一対の前後枠材６２には、それぞれ、上面から窪む前後枠材側樋部（枠材側樋）６２２が形成される。前後枠材側樋部６２２は、前後枠材６２における幅方向の外側に形成され、前後枠材６２の長手方向に延びる。
一対の左右枠材６３には、それぞれ、上面から窪む左右枠材側樋部（枠材側樋）６３２が形成される。左右枠材側樋部６３２は、左右枠材６３における幅方向の外側に形成され、左右枠材６３の長手方向に延びる。
一対の前後枠材６２の前後枠材側樋部６２２及び一対の左右枠材６３の左右枠材側樋部６３２は、フレーム体６１の全周に連通しており、フレーム体６１の四周に亘って連続して形成される。
【００１９】
一対の前後枠材６２は、屋根体６の前側に配置される前枠材６２Ａと、屋根体６の後側に配置される後枠材６２Ｂと、により構成される。前枠材６２Ａ及び後枠材６２Ｂは、屋根体６の前端部又は後端部において、左右方向の水平方向に直線状に延びて形成される。本実施形態においては、前後枠材６２における前枠材６２Ａ及び後枠材６２Ｂは、前後の位置及び向きが異なるのみで、同様の構成を有する。そのため、前枠材６２Ａ及び後枠材６２Ｂの説明について、特に区別の必要がない場合には、「前後枠材６２」として説明する。
【００２０】
一対の左右枠材６３は、一対の前後枠材６２に直交して配置され、屋根体６の左側に配置される左枠材６３Ａと、屋根体６の右側に配置される右枠材６３Ｂと、により構成される。左枠材６３Ａ及び右枠材６３Ｂは、屋根体６の左端部又は右端部において、前後方向の水平方向に直線状に延びて形成される。一対の左右枠材６３は、それぞれ、屋根体６の長手方向の各辺において、前後方向に並ぶ２つの支柱２に渡されており、２つの支柱２に支持される。そのため、左枠材６３Ａ及び右枠材６３Ｂは、桁材として機能する。本実施形態においては、左右枠材６３における左枠材６３Ａ及び右枠材６３Ｂは、左右の位置及び向きが異なるのみで、同様の構成を有する。そのため、左枠材６３Ａ及び右枠材６３Ｂの説明について、特に区別の必要がない場合には、「左右枠材６３」として説明する。
【００２１】
複数の中間アーチ６４は、一対の前後枠材６２の間に複数並んで配置される。複数の中間アーチ６４は、前後枠材６２の長手方向（屋根体６の左右方向）に延びて形成され、一対の左右枠材６３に亘って配置される。複数の中間アーチ６４は、それぞれ、長手方向の両端部それぞれが一対の左右枠材６３に接続され、一対の左右枠材６３を左右方向に繋ぐように配置される。複数の中間アーチ６４は、図４に示すように、長手方向の中央が両端部よりも上方側に位置するようにアーチ状に湾曲して形成される。
【００２２】
複数のパネル材６７は、図１〜図３に示すように、一対の左右枠材６３の間に複数並んで配置される。複数のパネル材６７は、隣接する中間アーチ６４の間に配置される複数の中間パネル材６７１と、最も前枠材６２Ａ側の中間アーチ６４（第１枠材側中間アーチ）と前枠材６２Ａとの間に配置される端部パネル材６７２と、最も後枠材６２Ｂ側の中間アーチ６４（第１枠材側中間アーチ）と後枠材６２Ｂとの間に配置される端部パネル材６７２と、を有する。中間パネル材６７１及び２つの端部パネル材６７２は、所定の厚みを有すると共に屋根体６の前後方向に所定の幅を有して、屋根体６の左右方向に延びる。
【００２３】
複数の中間パネル材６７１は、それぞれ、隣接する中間アーチ６４の間に配置され、隣接する中間アーチ６４それぞれに連結される。中間パネル材６７１は、隣接する中間アーチ６４の湾曲形状に沿って、長手方向の中央が両端部よりも上方側に位置するようにアーチ状に湾曲する。
【００２４】
端部パネル材６７２は、複数の中間アーチ６４のうちの最も前後枠材６２側の中間アーチ６４（第１枠材側中間アーチ）と前後枠材６２との間に配置される。端部パネル材６７２は、中間アーチ６４と前後枠材６２とに連結され、中間アーチ６４側において中間アーチ６４の湾曲形状に沿って湾曲すると共に前後枠材６２側において前後枠材６２の水平形状に沿って形成される。端部パネル材６７２は、図５に示すように、中間アーチ６４から前後枠材６２に向かって下り傾斜で傾斜する。
【００２５】
端部パネル材６７２は、最も前後枠材６２側の中間アーチ６４から前後枠材６２まで延びる面材で構成される。端部パネル材６７２は、施工時に湾曲加工されて取り付けられる。端部パネル材６７２は、図６に示すように、湾曲加工する前において、例えば、略台形形状に形成され、平面視で左右対称の形状に形成される。端部パネル材６７２は、中間アーチ６４側の辺である中間アーチ側辺６７２ａと、前後枠材６２側の辺である前後枠材側辺６７２ｃと、中間アーチ側辺６７２ａの端部６７３ａと前後枠材側辺６７２ｃの端部６７３ｃとを接続して延びる一対の端部傾斜辺６７２ｅと、を有する。
【００２６】
中間アーチ側辺６７２ａは、一対の中間アーチ側湾曲辺６７２ｂにより形成される。一対の中間アーチ側湾曲辺６７２ｂは、中間部６７３ｂを中心として左右に連続して形成され、左右対称の形状に形成される。一対の中間アーチ側湾曲辺６７２ｂは、それぞれ、端部パネル材６７２の中間アーチ６４側の長手方向（左右方向）の両端部６７３ａそれぞれから中間部６７３ｂに向かうに従って前後枠材６２側から中間アーチ６４側に向かうように僅かに曲線状に湾曲して形成される。
【００２７】
前後枠材側辺６７２ｃは、一対の前後枠材側湾曲辺６７２ｄにより形成される。一対の前後枠材側湾曲辺６７２ｄは、中間部６７３ｄを中心として左右に連続して形成され、左右対称の形状に形成される。一対の前後枠材側湾曲辺６７２ｄは、それぞれ、端部パネル材６７２の前後枠材６２側の長手方向（左右方向）の両端部６７３ｃそれぞれから中間部６７３ｄに向かうに従って前後枠材６２側から中間アーチ６４側に向かうように僅かに曲線状に湾曲して形成される。前後枠材側湾曲辺６７２ｄの曲率半径は、中間アーチ側湾曲辺６７２ｂの曲率半径よりも大きく形成され、前後枠材側湾曲辺６７２ｄは、中間アーチ側湾曲辺６７２ｂよりも緩く湾曲する。
【００２８】
一対の端部傾斜辺６７２ｅは、それぞれ、中間アーチ側辺６７２ａの端部６７３ａから前後枠材側辺６７２ｃの端部６７３ｃに向かうに従って端部パネル材６７２の長手方向（左右方向）の内側に向かうように僅かに傾斜する。
【００２９】
端部パネル材６７２は、中間アーチ６４と前後枠材６２とに連結された状態において、最も前後枠材６２側の中間アーチ６４の長手方向の湾曲形状に沿う中間アーチ側辺６７２ａの長さＬ１が、前後枠材６２側における前後枠材６２の長手方向に沿う前後枠材側辺６７２ｃの長さＬ２よりも長く形成される。言い換えると、端部パネル材６７２は、平面視で左右対称の形状に形成されるため、中間アーチ側辺６７２ａの中間アーチ側湾曲辺６７２ｂの長さＬ１ａが、前後枠材側辺６７２ｃの前後枠材側湾曲辺６７２ｄの長さＬ２ａよりも長く形成される。なお、端部パネル材６７２は、施工する現場で湾曲加工してもよいし、工場で湾曲加工した後に、現場に搬入して取り付けてもよい。
【００３０】
以上の端部パネル材６７２は、中間アーチ６４から前後枠材６２に向かって下り傾斜で傾斜する際に、湾曲形状のアールが徐々に小さくなり、中間アーチ６４から前後枠材６２に向かって徐々に湾曲形状から水平形状になるように形成される。そのため、中間アーチ６４、端部パネル材６７２及び前後枠材６２の一体感を生じさせて、外観を一層スッキリと見せることができる。これにより、意匠性を一層向上できる。
【００３１】
一対の照明取付枠体８は、図２及び図４に示すように、屋根体６の左右方向の両側に設けられる。照明取付枠体８は、左右枠材６３の内側の面に取り付けられる。照明取付枠体８には、直接照明装置８５（照明装置）が取り付けられる。これにより、本実施形態においては、直接照明装置８５は、屋根体６の左右方向の両側に一対設けられている。
【００３２】
次に、本実施形態のシェルター１の各構成の詳細について説明する。図７は、図４のＣ−Ｃ線断面図である。図８Ａは、図４のＤ部分の拡大図である。図８Ｂは、図３のＥ−Ｅ線断面図である。図９は、左右枠材側パネル端部押さえ部材６３３を示す斜視図である。図１０は、図５のＦ部分の拡大図である。図１１は、図５のＧ部分の拡大図である。
【００３３】
支柱２は、図７に示すように、横断面が角筒状に形成される中空部を有する支柱側ホロー部２１と、支柱側ホロー部２１の左右方向の両側の側面から外部側に突出する一対のカバー取付係合片２２ａ，２２ｂ，２２ｃと、を有する。一対のカバー取付係合片２２ａ，２２ｂ，２２ｃには、支柱２の左右方向の両側において、一対の支柱カバー部材２３が係合して取り付けられる。
【００３４】
支柱側部箱体３は、図１及び図２に示すように、支柱２における屋根体６の前後方向の中央側の側面に、支柱２と一体で設けられる。支柱側部箱体３の内部には、図７及び図８Ａに示すように、縦樋構成空間３０１と、配線空間３０２と、が形成される。縦樋構成空間３０１には、排水アタッチメント３５を介して屋根体６から流入される水が流通される。配線空間３０２には、直接照明装置８５の配線ケーブル８５ａ（図８Ａ参照）や間接照明装置（図示せず）の配線ケーブル（図示せず）が配置される。
【００３５】
支柱側部箱体３の内部には、縦樋構成空間３０１及び配線空間３０２が、屋根体６の左右方向に並んで配置される。支柱側部箱体３の内部において、屋根体６の内側には、配線空間３０２が配置され、屋根体６の外側には、縦樋構成空間３０１が配置される。
【００３６】
支柱側部箱体３は、図７に示すように、中空部３１１と開放部３１２とを有するベース部３１と、箱体カバー部３２と、を有する。中空部３１１の上方側には、後述する排水アタッチメント３５が配置される（図８Ａ参照）。ベース部３１が支柱２に取り付けられた状態で、箱体カバー部３２が取り付けられることで、ベース部３１の中空部３１１の内側には、屋根体６の左右方向の外側に配置される縦樋構成空間３０１が形成され、ベース部３１の開放部３１２と箱体カバー部３２との間には、屋根体６の左右方向の内側に配置される配線空間３０２が形成される。図８Ｂに示すように、縦樋構成空間３０１は、左右枠材６３の左右枠材側樋部（枠材側樋）６３２の下方に配置され、配線空間３０２は、左右枠材６３の左右枠材側ホロー部６３１の下方に配置される。
【００３７】
屋根体６の詳細について説明する。屋根体６は、図１及び図２に示すように、フレーム体６１と、複数の中間アーチ６４と、複数のパネル材６７と、一対の複数の左右枠材側パネル端部押さえ部材６３３（パネル押さえ部材）と、前後枠材側パネル端部カバー部材６２７と、を有する。フレーム体６１は、一対の前後枠材６２と、一対の左右枠材６３と、が方形状に枠組みされて形成される。
【００３８】
一対の左右枠材６３は、図１〜図３に示すように、左右方向に離間して配置され、屋根体６の前後方向に水平に延びて形成される。左右枠材６３は、図４に示すように、支柱２の上端部の上方に配置される。左右枠材６３は、中空部を有して構成される左右枠材側ホロー部（ホロー構造部）６３１と、左右枠材側樋部６３２と、を有する。左右枠材側ホロー部６３１及び左右枠材側樋部６３２は、左右枠材６３の幅方向において並んで配置される。左右枠材６３の幅方向において、屋根体６の内側には、左右枠材側ホロー部６３１が配置され、屋根体６の外側には、左右枠材側樋部６３２が配置される。
【００３９】
左右枠材側ホロー部６３１は、図８Ａ及び図８Ｂに示すように、左右枠材６３における屋根体６の内側に形成され、左右枠材６３の長手方向の全域に亘って延びる。図８Ｂに示すように、左右枠材側ホロー部６３１は、下部に形成される左右枠材側下部溝６３１ａと、左右枠材側下部溝６３１ａを覆う下部カバー部材６３１ｂ（図８Ｂ参照）と、照明ブラケット取付部６３１ｃと、を有する。左右枠材側下部溝６３１ａは、左右枠材側ホロー部６３１の下部において左右枠材側ホロー部６３１の下端部から上方に窪む凹状に形成され、左右枠材６３の長手方向に延びる。
【００４０】
左右枠材側下部溝６３１ａにおいては、図８Ａに示すように、接続部材６３１ｇを介して、左右枠材６３が支柱２に固定される。接続部材６３１ｇは、接続板６３１ｄと、スペーサ部材６３１ｅと、逆Ｕ字状部材６３１ｆと、が接続されて構成される。接続板６３１ｄは、左右枠材側下部溝６３１ａの内部において、ネジ６３１ｈより、左右枠材６３の内部に配置される補強スリーブ６５３と共締めされる。また、Ｕ字状部材６３１ｆは、支柱２の内部おいて、ネジ６３１ｉにより、支柱２に固定される。左右枠材側ホロー部６３１の下方には、図８Ｂに示すように、左右枠材側下部溝６３１ａを覆うように、下部カバー部材６３１ｂが取り付けられる。これにより、左右枠材側下部溝６３１ａは、下部カバー部材６３１ｂにより、下方側から覆われる。
【００４１】
左右枠材側樋部６３２は、左右枠材側ホロー部６３１における屋根体６の外側に形成され、左右枠材６３の長手方向の全域に亘って延びる。左右枠材側樋部６３２は、左右枠材６３における上方が開放された枠状に形成され、屋根体６の上面を流れる水が流入されて、左右枠材側樋部６３２には、流入された水が溜められる。
【００４２】
左右枠材側樋部６３２の底面には、図８Ａに示すように、支柱２に取り付けられた支柱側部箱体３に対応した位置において、貫通穴６３２ａが形成される。貫通穴６３２ａの下方には、支柱側部箱体３の縦樋構成空間３０１が配置されている。貫通穴６３２ａには、排水アタッチメント３５が取り付けられる。
【００４３】
排水アタッチメント３５は、上下方向に貫通する筒状に形成され、左右枠材側樋部６３２に溜められた水を、支柱側部箱体３の縦樋構成空間３０１に流入させる。排水アタッチメント３５は、上下方向に延びる筒状部３５０と、筒状部３５０の途中において径方向に突出するフランジ３５２と、を有する。筒状部３５０は、フランジ３５２よりも上方側に形成される上部筒状部３５１と、フランジ３５２よりも下方側に形成される下部筒状部３５３と、を有する。
【００４４】
排水アタッチメント３５は、左右枠材側樋部６３２の底面の下面にフランジ３５２を配置した状態で、左右枠材６３の左右枠材側樋部６３２の貫通穴６３２ａに取り付けられる。これにより、左右枠材６３の左右枠材側樋部６３２の下方には、貫通穴６３２ａに配置された排水アタッチメント３５を介して、支柱側部箱体３の縦樋構成空間３０１が配置される。左右枠材側樋部６３２からの水は、排水アタッチメント３５を介して支柱側部箱体３の縦樋構成空間３０１に流入される。排水アタッチメント３５は、下部筒状部３５３を有しており、下部筒状部３５３の下端部から、支柱側部箱体３の縦樋構成空間３０１に、水切れよく水を落下させることができるため、排水性能を向上できる。
【００４５】
照明ブラケット取付部６３１ｃは、左右枠材側ホロー部６３１の内側から左右枠材側ホロー部６３１の内側の側方に方形状に突出して形成される。照明ブラケット取付部６３１ｃには、断面形状がＬ字形状の取付部材６３１ｊを介して、照明取付枠体８が取り付けられる。
【００４６】
一対の照明取付枠体８及び直接照明装置８５について説明する。
照明取付枠体８は、図８Ａ及び図８Ｂに示すように、枠体側露出傾斜下面８１と、直接照明装置８５が配置される直接照明取付溝部８２と、間接照明装置（図示せず）を配置可能な間接照明取付部８３と、を備える。照明取付枠体８には、直接照明装置８５又は間接照明装置（図示せず）を取り付けることが可能である。
【００４７】
枠体側露出傾斜下面８１は、照明取付枠体８の下面により形成され、外側から内側に向かうに従って、下方から上方に向かうように直線状に延びる傾斜面により平面状に形成される。枠体側露出傾斜下面８１は、下方の外部に露出される面である。
【００４８】
直接照明取付溝部８２は、照明取付枠体８の下方側に形成される。直接照明取付溝部８２の内部には、直接照明装置８５が収容されて、ネジ止めされて取り付けられる。直接照明装置８５は、屋根体６の長手方向に所定長さ延びて形成される。直接照明取付溝部８２には、直接照明装置８５が、屋根体６の前側の斜め下方に光を直接的に照射するように配置される。直接照明取付溝部８２の手前側には、直接照明取付溝部８２に直接照明装置８５を取り付けた後に、透過性を有するアクリル板８４が取り付けられる。
【００４９】
図８Ｂに示すように、照明取付枠体８は、左右枠材６３の照明ブラケット取付部６３１ｃにネジ６０５で固定された取付部材６３１ｊの引っ掛け部６３１ｋに、引っ掛けられる。この状態で、照明取付枠体８は、取付部材６３１ｊ及び照明ブラケット取付部６３１ｃにネジ６０６で共締めされる。直接照明装置８５は、照明取付枠体８が取付部材６３１ｊを介して照明ブラケット取付部６３１ｃに取り付けられた後に、照明取付枠体８に取り付けられる。
【００５０】
直接照明装置８５における前後枠材６２の外部から配線される配線ケーブル８５ａ（ケーブル）は、図８Ａに示すように、外部から支柱側部箱体３の配線空間３０２に通されて、左右枠材６３の左右枠材側ホロー部６３１を貫通して左右枠材側ホロー部６３１の内部を通される。左右枠材側ホロー部６３１の内部を通された配線ケーブル８５ａは、照明取付枠体８の内部を通されて、直接照明取付溝部８２に配置される直接照明装置８５に接続される。また、複数の直接照明装置８５を屋根体６の長手方向に直列に接続する配線ケーブル８５ｂは、照明取付枠体８の内部において屋根体６の長手方向に沿うように配置される。そのため、配線ケーブル８５ａ，８５ｂは、シェルター１の下方からは視認されない箇所に配線される。これにより、意匠性を向上できる。
【００５１】
間接照明取付部８３は、照明取付枠体８の上方側に形成される。間接照明装置（図示せず）により屋根体６の下方に光を間接的に照らす場合（間接照明）には、直接照明装置８５により屋根体６の下方に光を直接的に照らす場合（直接照明）（図８Ａ及び図８Ｂ参照）の配置に代えて、間接照明取付部８３に、間接照明装置（図示せず）を配置する。間接照明取付部８３には、間接照明装置（図示せず）が、斜め上方側に向けて光を照射して、屋根体６の下面に反射された光が、下方に向けて間接的に照射されるように配置される。間接照明装置の配線ケーブルは、直接照明装置８５と同様に、照明取付枠体８の内部を通されて接続される。
【００５２】
図８Ａに示すように、左右枠材６３の左右枠材側ホロー部６３１の上部の幅方向のパネル材６７側の端部は、複数の中間アーチ６４における中間アーチ本体７０（後述）の長手方向（屋根体６の左右方向）の端部がネジ固定される。中間アーチ６４は、パネル材６７（中間パネル材６７１、端部パネル材６７２）の幅方向（屋根体６の前後方向）の端部を保持する。中間アーチ６４におけるパネル材６７の幅方向（屋根体６の前後方向）の端部を保持する構成については後述する。
【００５３】
また、図８Ｂに示すように、左右枠材６３の左右枠材側ホロー部６３１の上部の幅方向の中央寄りには、複数の左右枠材側パネル端部押さえ部材６３３が取り付けられる。複数の左右枠材側パネル端部押さえ部材６３３は、図１及び図３に示すように、複数のパネル材６７（中間パネル材６７１、端部パネル材６７２）が並ぶ方向（左右枠材６３の長手方向）に延びて形成され、左右枠材６３の長手方向に直線状に複数並べられて配置される。
【００５４】
複数の左右枠材側パネル端部押さえ部材６３３は、複数のパネル材６７（中間パネル材６７１、端部パネル材６７２）の長手方向の端部を上方から押さえると共に、複数の中間アーチ６４の長手方向の端部の少なくとも一部を覆うように配置される。
【００５５】
また、左右枠材側パネル端部押さえ部材６３３は、前後枠材６２との間に所定の間隔を空けて配置される。言い換えると、端部パネル材６７２における幅方向（屋根体６の前後方向）（前後枠材６２の長手方向に直交する方向）の前後枠材６２側の端部６７２ｔに配置されていない。本実施形態においては、前後枠材６２は、後述するように、前後枠材６２は、中空部を有して構成される前後枠材側ホロー部（ホロー構造部）６２１と、前後枠材側樋部６２２と、前後枠材側パネル端部カバー部材６２７と、を有する（図１０参照）。図３に示すように、前後枠材側パネル端部カバー部材６２７は、端部パネル材６７２の幅方向の端部を覆うと共に、端部パネル材６７２の長手方向の端部まで延びる。左右枠材側パネル端部押さえ部材６３３は、前後枠材６２の前後枠材側パネル端部カバー部材６２７との間に所定の間隔を空けて配置される。
【００５６】
これにより、左右枠材側パネル端部押さえ部材６３３は、端部パネル材６７２における前後枠材６２側の端部６７２ｔを押さえていないため、端部パネル材６７２に作用する応力を逃がすことができる。また、端部パネル材６７２の上面を流れる水を、端部パネル材６７２における前後枠材６２側の端部６７２ｔにおいて、左右枠材６３の左右枠材側樋部６３２に流すことができる。これにより、排水性能を向上できる。
【００５７】
複数の左右枠材側パネル端部押さえ部材６３３は、図８Ａ、図８Ｂ及び図９に示すように、それぞれ、左右枠材６３の上面に固定される固定片６３４と、固定片６３４の外側の端部から立ち上がる突起６３５と、固定片６３４のパネル材６７側の端部から立ち上がる立ち上がり片６３６と、立ち上がり片６３６の上端部からパネル材６７（中間パネル材６７１、端部パネル材６７２）側に延びる延在片６３７と、延在片６３７のパネル材６７側の端部から下方に延びる押さえ片６３８（図８Ａ参照）と、を有する。左右枠材側パネル端部押さえ部材６３３は、図８Ｂに示すように、固定片６３４においてネジ６３４ａで左右枠材６３の上面に固定された状態で、図８Ａに示すように、押さえ片６３８の下端部６３８ｃによりパネル材６７の上面を押さえる。
【００５８】
左右枠材側パネル端部押さえ部材６３３は、幅方向における複数のパネル材６７（中間パネル材６７１、端部パネル材６７２）を押さえる側の端部において、図３、図８Ｂ及び図９に示すように、端部切り欠き部６３８ａと、中央切り欠き部６３８ｂと、を有する。端部切り欠き部６３８ａは、左右枠材側パネル端部押さえ部材６３３の長手方向の両端部において、中間アーチ６４が配置される部分に、押さえ片６３８が切り欠かれて形成され、端部切り欠き部６３８ａには、図８Ｂに示すように、中間アーチ６４の端部が配置される。これにより、中間アーチ６４の端部を配置するスペースを確保して、外観上もスッキリとなるため、意匠性を一層向上できる。また、中央切り欠き部６３８ｂは、図８Ａ及び図９に示すように、左右枠材側パネル端部押さえ部材６３３の長手方向の中央において、後述する切欠き開口６３９に対向する位置に形成され、屋根体６の上面を流れる水は、中央切り欠き部６３８ｂを介して、切欠き開口６３９に流される。
【００５９】
固定片６３４、突起６３５及び立ち上がる立ち上がり片６３６は、図３、図８Ａ及び図９に示すように、各左右枠材側パネル端部押さえ部材６３３の長手方向の一部において、切欠き開口６３９（開口部）で開口するように切り欠かれる。切欠き開口６３９は、中間アーチ６４の長手方向の端部を覆う部分において、屋根体６の上面を流れる水を、左右枠材６３の左右枠材側樋部６３２に流すように開口する。これにより、屋根体６の上面を流れる水は、切欠き開口６３９を介して、左右枠材６３の左右枠材側樋部６３２に流れ込む。よって、排水性能を向上できる。
【００６０】
左右枠材側パネル端部押さえ部材６３３は、図８Ａ及び図８Ｂに示すように、一端側の固定片６３４が左右枠材６３の上面に固定され（図８Ｂ参照）、他端側の押さえ片６３８の下端部６３８ｃが屋根体６のパネル材６７の長手方向（左右方向）の端部の上面を押圧する（図８Ａ参照）ことで、左右枠材６３側のパネル材６７（中間パネル材６７１、端部パネル材６７２）の端部を押さえる。また、左右枠材側パネル端部押さえ部材６３３は、中間アーチ６４の中間アーチカバー部材７５の端部の小口面７５１（中間アーチ６４の端部の小口面６４１（中間アーチ本体７０の端部の小口面７０１、中間アーチカバー部材７５の端部の小口面７５１）の少なくとも一部）を覆うように配置される。
【００６１】
これにより、左右枠材側パネル端部押さえ部材６３３は、パネル材６７の端部を押さえる構成と、中間アーチ６４の中間アーチカバー部材７５の端部の小口面７５１を覆う構成とを兼ねる。よって、部品点数を削減でき、製造コストを低減できる。また、中間アーチカバー部材７５の端部の小口面７５１は、屋根体６の外部から視認されないように、複数の左右枠材側パネル端部押さえ部材６３３により覆われる。よって、外観上もスッキリとなるため、意匠性を向上できる。
【００６２】
一対の前後枠材６２は、図１〜図３に示すように、前後方向に離間して配置され、屋根体６の左右方向に水平に延びて形成される。前後枠材６２は、屋根体６の前端部又は後端部に配置される。前後枠材６２は、図１０に示すように、中空部を有して構成される前後枠材側ホロー部（ホロー構造部）６２１と、前後枠材側樋部６２２と、前後枠材側パネル端部カバー部材６２７と、を有する。前後枠材側ホロー部６２１及び前後枠材側樋部６２２は、前後枠材６２の幅方向に並んで配置される。前後枠材６２の幅方向において、屋根体６の内側には、前後枠材側ホロー部６２１が配置され、屋根体６の外側には、前後枠材側樋部６２２が配置される。
【００６３】
前後枠材側ホロー部６２１は、図１０に示すように、前後枠材６２における屋根体６の内側に形成され、前後枠材６２の長手方向の全域に亘って延びる。前後枠材側ホロー部６２１は、下部に形成される前後枠材側下部溝６２１ａと、前後枠材側下部溝６２１ａを覆う下部カバー部材６２１ｂと、を有する。前後枠材側下部溝６２１ａは、前後枠材側ホロー部６２１の下部において前後枠材側ホロー部６２１の下端部から上方に窪む凹状に形成され、左右枠材６３の長手方向に延びる。前後枠材側ホロー部６２１の下方には、前後枠材側下部溝６２１ａを覆うように、下部カバー部材６２１ｂが取り付けられる。
【００６４】
前後枠材側ホロー部６２１の上面には、ネジ孔構成突起部６２３と、パネル材支持部６２４（支持部）と、が形成される。
ネジ孔構成突起部６２３は、前後枠材側ホロー部６２１の上面の幅方向の前後枠材側樋部６２２側に形成される。
パネル材支持部６２４は、２つの下方側支持部６２５，６２６を有する。２つの下方側支持部６２５，６２６は、ネジ孔構成突起部６２３よりも屋根体６の内側において、前後枠材６２の幅方向に離間して、屋根体６の外側から内側に向かってこの順に並んで配置される。２つの下方側支持部６２５，６２６は、前後枠材側ホロー部６２１の段差部分に配置される。ネジ孔構成突起部６２３側に配置される下方側支持部６２５は、屋根体６の内側に配置される下方側支持部６２６よりも下方に位置する。
【００６５】
２つの下方側支持部６２５，６２６は、端部パネル材６７２の幅方向（屋根体６の前後方向）の前後枠材６２側の端部を下方側から支持する。下方側支持部６２５，６２６には、上方側に開放するビード配置溝６２５ａ，６２６ａが形成される。ビード配置溝６２５ａ，６２６ａには、図１０の上方側の分解図に示すように、上方に向けて開放するＹ字状のビード材（弾性部材）６２５ｂ，６２６ｂが配置される。Ｙ字状のビード材（弾性部材）６２５ｂ，６２６ｂは、端部パネル材６７２の端部の下方側から当接する。
【００６６】
Ｙ字状のビード材６２５ｂ，６２６ｂは、上面が凹状に窪んで形成される。これにより、Ｙ字状のビード材６２５ｂ，６２６ｂは、両端部がしっかりと端部パネル材６７２に密着して、接触面積を大きくすることができ、摩擦抵抗が上がることで、密着力が上げることができる。
【００６７】
Ｙ字状のビード材（弾性部材）６２５ｂ，６２６ｂを使用することで、Ｙ字状のビード材６２５ｂ，６２６ｂは、両端部がしっかりと端部パネル材６７２に密着して、接触面積を大きくすることで摩擦抵抗を上げることで、端部パネル材６７２への密着力を上げて、端部パネル材６７２を滑りにくい状態で支持できる。よって、端部パネル材６７２が下方側支持部６２５，６２６の部分から抜けにくくなるため、端部パネル材６７２の撓みを一層抑制できる。また、２点の下方側支持部６２５，６２６のＹ字状のビード材６２５ｂ，６２６ｂにより、２重に止水できるため、止水性能を向上できる。
【００６８】
前後枠材側パネル端部カバー部材６２７は、断面形状がＬ字状に形成され、前後枠材６２の長手方向に延びる。前後枠材側パネル端部カバー部材６２７は、前後枠材６２の幅方向に延びる上面板状部６２７ａと、上面板状部６２７ａの外側の端部から下方に延びる下方延在片６２７ｃと、上面板状部６２７ａの内側の端部の下面に形成されるパネル材保持構成部６２８と、を有する。
【００６９】
上面板状部６２７ａは、板状に形成され、前後枠材側ホロー部６２１の上方側に前後枠材側ホロー部６２１に対向して配置される。上面板状部６２７ａは、上面板状部６２７ａの幅方向の外側の端部に形成されるネジ固定部６２７ｂを有する。ネジ固定部６２７ｂは、ネジ６０１により、前後枠材６２のネジ孔構成突起部６２３に締結される。
下方延在片６２７ｃは、上面板状部６２７ａの外側の端部から下方に延びることで、端部パネル材６７２の端部を覆う。
【００７０】
パネル材保持構成部６２８は、１つの上方側保持部６２９を有する。１つの上方側保持部６２９は、前後枠材６２における２つの下方側支持部６２５，６２６のうち、ネジ孔構成突起部６２３側の下方側支持部６２５の上方に対向した位置に配置される。上方側保持部６２９は、下方側に開放するビード配置溝６２９ａが形成される。ビード配置溝６２９ａには、図１０の上方側の分解図に示すように、下方に向けて開放するＹ字状のビード材（弾性部材）６２９ｂが配置される。Ｙ字状のビード材（弾性部材）６２９ｂは、端部パネル材６７２の端部の上方側から当接する。Ｙ字状のビード材６２９ｂは、下面が凹状に窪んで形成される。Ｙ字状のビード材６２９ｂは、前述のＹ字状のビード材６２５ｂ，６２６ｂと上下を逆に配置して構成されるだけで、前述のＹ字状のビード材６２５ｂ，６２６ｂと同様の構成である。
【００７１】
Ｙ字状のビード材（弾性部材）６２９ｂを使用することで、Ｙ字状のビード材６２９ｂは、両端部がしっかりと端部パネル材６７２に密着して、接触面積を大きくすることで摩擦抵抗を上げることで、端部パネル材６７２への密着力を上げて、端部パネル材６７２を滑りにくい状態で保持できる。よって、端部パネル材６７２が上方側保持部６２９の部分から抜けにくくなるため、端部パネル材６７２の撓みを一層抑制できる。
【００７２】
以上のように構成される前後枠材６２においては、図１０に示すように、前後枠材６２の２つの下方側支持部６２５，６２６に、端部パネル材６７２の前後枠材６２側の端部を配置した状態で、前後枠材側パネル端部カバー部材６２７を、前後枠材６２にネジ６０１で固定する。これにより、端部パネル材６７２の前後枠材６２側の端部は、前後枠材６２により、下方側において２点（下方側支持部６２５，６２６）で支持されると共に、前後枠材側パネル端部カバー部材６２７により、上方側から１点（上方側保持部６２９）で保持される。端部パネル材６７２は、施工時に、前後枠材６２側の端部が、前後枠材６２が延びる水平方向に沿った直線状に配置されると共に、中間アーチ６４から前後枠材６２に向かって下り傾斜で傾斜した状態で、前後枠材６２と前後枠材側パネル端部カバー部材６２７との間で保持される。
【００７３】
図１０に示すように、前後枠材側樋部６２２は、前後枠材側ホロー部６２１における屋根体６の外側に形成され、前後枠材６２の長手方向の全域に亘って延びる。前後枠材側樋部６２２は、前後枠材６２における上方が開放された枠状に形成され、屋根体６の上面を流れる水が流入されて、前後枠材側樋部６２２には、流入された水が溜められる。
【００７４】
複数の中間アーチ６４について説明する。
中間アーチ６４は、図４及び図１１に示すように、一対の左右枠材６３を繋ぐように屋根体６の左右方向に延びる。中間アーチ６４の長手方向の両端部は、一対の左右枠材６３にネジ固定される。中間アーチ６４は、下方に配置される中間アーチ本体７０と、中間アーチ本体７０の上方に配置される中間アーチカバー部材７５と、を有する。中間アーチ本体７０及び中間アーチカバー部材７５は、図４に示すように、屋根体６の左右方向の中央が両端部よりも上方側に位置するように湾曲される。
【００７５】
中間アーチ本体７０は、図１１に示すように、中空部を有するホロー構成部７１と、ネジ孔構成突起部７２と、一対のパネル材支持部７３と、を有する。中間アーチ本体７０は、アルミ材料の押出し形材で形成される。
【００７６】
ホロー構成部７１は、アルミ材料で形成され、所定幅を有して、左右方向に延びる。ホロー構成部７１は、断面形状が略台形状に形成され、断面形状において、平面状の下面７１１と、平面状の上面７１２と、一対の傾斜側面７１３（傾斜部）と、を有する。
【００７７】
下面７１１及び上面７１２は、上下方向に離間して略平行に配置される。上面７１２の幅方向の長さは、下面７１１の幅方向の長さよりも長く形成される。
傾斜側面７１３は、ホロー構成部７１の幅方向の端部において、上方側から下方側に向かうに従って幅方向の内側に向かうように傾斜する。これにより、中間アーチ本体７０は、ホロー構成部７１が、幅方向の端部において、上方側から下方側に向かうに従って幅方向の内側に向かうように傾斜する略台形形状に形成される。そのため、中間アーチ本体７０は、曲げ加工し易い形状であり、長手方向の中央が両端部よりも上方に位置するように湾曲させ易い。
【００７８】
ネジ孔構成突起部７２及び一対のパネル材支持部７３は、図１１に示すように、ホロー構成部７１の上面７１２に形成される。ネジ孔構成突起部７２は、中間アーチ本体７０の幅方向の中央に形成される。一対のパネル材支持部７３は、ネジ孔構成突起部７２を挟んで、中間アーチ本体７０の幅方向に離間して配置される。
【００７９】
一対のパネル材支持部７３は、それぞれ、２つの下方側支持部７３１，７３２（支持部）を有する。２つの下方側支持部７３１，７３２は、中間アーチ本体７０の幅方向に離間して、中間アーチ本体７０の幅方向の内側から外側に向かってこの順に並んで配置される。
【００８０】
２つの下方側支持部７３１，７３２は、パネル材６７（中間パネル材６７１、端部パネル材６７２）における中間アーチ６４側の端部において、パネル材６７の下方側から２点で支持する。下方側支持部７３１，７３２には、上方側に開放するビード配置溝７３１ａ，７３２ａが形成される。ビード配置溝７３１ａ，７３２ａには、図１１の上方側の分解図に示すように、上方に向けて開放するＹ字状のビード材（弾性部材）７３１ｂ，７３２ｂが配置される。Ｙ字状のビード材（弾性部材）７３１ｂ，７３２ｂは、パネル材６７の端部の下方側から当接する。Ｙ字状のビード材７３１ｂ，７３２ｂは、前述のＹ字状のビード材６２５ｂ，６２６ｂと同様の構成である。
【００８１】
Ｙ字状のビード材（弾性部材）７３１ｂ，７３２ｂを使用することで、Ｙ字状のビード材７３１ｂ，７３２ｂは、両端部がしっかりとパネル材６７に密着して、接触面積を大きくすることで摩擦抵抗を上げることで、パネル材６７への密着力を上げて、パネル材６７を滑りにくい状態で支持できる。よって、パネル材６７が下方側支持部７３１，７３２の部分から抜けにくくなるため、パネル材６７の撓みを一層抑制できる。また、２点の下方側支持部７３１，７３２のＹ字状のビード材７３１ｂ，７３２ｂにより、２重に止水できるため、止水性能を向上できる。
【００８２】
中間アーチカバー部材７５は、図１１に示すように、中間アーチ本体７０の上方に配置され、中間アーチ本体７０との間に湾曲したパネル材６７（中間パネル材６７１、端部パネル材６７２）の端部を挟み込む。中間アーチカバー部材７５は、板状部７６と、板状部７６の幅方向の中央に形成されるネジ固定部７７と、板状部７６の外側の端部の下面に形成される一対のパネル材保持構成部７８と、を有する。板状部７６は、板状に形成され、中間アーチ本体７０のホロー構成部７１の上方側にホロー構成部７１に対向して配置される。ネジ固定部７７は、ネジ７０５により、中間アーチ本体７０のネジ孔構成突起部７２に締結される。一対のパネル材保持構成部７８は、ネジ固定部７７を挟んで、中間アーチカバー部材７５の幅方向に離間して形成される。
【００８３】
一対のパネル材保持構成部７８は、それぞれ、１つの上方側保持部７８１を有する。１つの上方側保持部７８１は、中間アーチ本体７０における２つの下方側支持部７３１，７３２のうち、ネジ孔構成突起部７２側の下方側支持部７３１の上方に対向した位置に配置される。上方側保持部７８１には、下方側に開放するビード配置溝７８１ａが形成される。ビード配置溝７８１ａには、図１１の上方側の分解図に示すように、下方に向けて開放するＹ字状のビード材（弾性部材）７８１ｂが配置される。Ｙ字状のビード材（弾性部材）７８１ｂは、パネル材６７の端部の上方側から当接する。Ｙ字状のビード材７８１ｂは、前述のＹ字状のビード材６２９ｂと同様の構成である。
【００８４】
Ｙ字状のビード材（弾性部材）７８１ｂを使用することで、Ｙ字状のビード材７８１ｂは、両端部がしっかりとパネル材６７に密着して、接触面積を大きくすることで摩擦抵抗を上げることで、パネル材６７への密着力を上げて、パネル材６７を滑りにくい状態で保持できる。よって、パネル材６７が上方側保持部７８１の部分から抜けにくくなるため、パネル材６７の撓みを一層抑制できる。
【００８５】
以上のように構成される中間アーチ６４においては、図１１に示すように、中間アーチ本体７０の２つの下方側支持部７３１，７３２に、中間パネル材６７１の中間アーチ６４側の端部を配置した状態で、中間アーチカバー部材７５を、中間アーチ本体７０にネジ７０５で固定する。
【００８６】
隣接する中間アーチ６４の間において、中間アーチ６４に連結される中間パネル材６７１は、中間パネル材６７１の幅方向の両側の中間アーチ６４側の端部が、図１１に示すように、中間アーチ本体７０により、下方側において２点（下方側支持部７３１，７３２）で支持されると共に、中間アーチカバー部材７５により、上方側において、１点（上方側保持部７８１）で保持される。
【００８７】
これにより、中間パネル材６７１は、施工時に、隣接する中間アーチ６４の間において、中間アーチ６４の湾曲形状に沿って湾曲するように変形された状態で、中間アーチ６４に保持される。よって、湾曲して配置される中間パネル材６７１を、２つの下方側支持部７３１，７３２において、撓みを抑制した状態で支持できる。従って、複数の中間アーチ６４及びパネル材６７の下方において複数の中間アーチ６４に直交して延びる複数の中骨部材を配置しなくても、中間パネル材６７１の撓みを抑制した状態で、中間パネル材６７１を配置できる。これにより、屋根体６の強度を確保することができる。
【００８８】
また、前後枠材６２と中間アーチ６４との間において、前後枠材６２と中間アーチ６４とに連結される端部パネル材６７２は、端部パネル材６７２の中間アーチ６４側の端部が、図１１に示すように、中間アーチ本体７０により、下方側において２点（下方側支持部７３１，７３２）で支持されると共に、中間アーチカバー部材７５により、上方側において、１点（上方側保持部７８１）で保持される。また、端部パネル材６７２の前後枠材６２側の端部が、図１０に示すように、前後枠材６２により、下方側において２点（下方側支持部６２５，６２６）で支持されると共に、前後枠材側パネル端部カバー部材６２７により、上方側において、１点（上方側保持部６２９）で保持される。
【００８９】
これにより、端部パネル材６７２は、施工時に、中間アーチ６４側において、中間アーチ６４の湾曲形状に沿って湾曲するように変形されると共に、前後枠材６２側において、前後枠材６２が延びる水平に配置されることで、中間アーチ６４から前後枠材６２に向かうに従って水平に形成され、図５に示すように、中間アーチ６４から前後枠材６２に向かうに従って中間アーチ６４から前後枠材６２側に下るように傾斜して、中間アーチ６４と前後枠材６２との間に配置される。よって、湾曲して配置される端部パネル材６７２を、中間アーチ６４側の２つの下方側支持部７３１，７３２及び前後枠材６２の２つの下方側支持部６２５，６２６において、撓みを抑制した状態で支持できる。従って、複数の中間アーチ６４及びパネル材６７の下方において複数の中間アーチ６４に直交して延びる複数の中骨部材を配置しなくても、中間パネル材６７１の撓みを抑制した状態で、中間パネル材６７１を配置できる。これにより、屋根体６の強度を確保することができる。
【００９０】
また、前後枠材６２に端部パネル材６７２が直接接続されるため、前後枠材６２側に端部パネル材６７２を連結する端部アーチを設けずに、前後枠材６２を端部アーチと一体化することができる。これにより、部品点数を削減でき、端部アーチに要する製造コストを低減できる。また、前後枠材６２を端部アーチと一体化することができるため、施工性を向上できる。また、中間アーチ６４や中間パネル材６７１がアーチ状に形成されても、フレーム体６１が水平（フラット）に形成され、中間アーチ６４から前後枠材６２に向かって下り傾斜で傾斜する。そのため、中間アーチ６４の湾曲形状が見えにくく、フレーム体６１が水平（フラット）であるため、外観において、屋根体６をフラットに見せることができる。また、屋根体６の前後枠材６２側の端部において、端部パネル材６７２が下り傾斜した状態で前後枠材６２に接続されるため、端部パネル材６７２と前後枠材６２とに一体感を生じさせて、外観を一層スッキリと見せることができる。これにより、意匠性を一層向上できる。
【００９１】
屋根体６のフレーム体６１のコーナー部分６１０における連結構造について説明する。図１２は、屋根体６のコーナー部分６１０の平面図である。図１３は、屋根体６のコーナー部分６１０の分解斜視図である。図１４は、図１２のＨ−Ｈ線断面図、Ｉ−Ｉ線断面図である。
【００９２】
前後枠材６２と左右枠材６３とは、図１２に示すように、屋根体６のフレーム体６１のコーナー部分６１０において連結される。屋根体６のフレーム体６１のコーナー部分６１０においては、前後枠材６２と左右枠材６３が連結されることで、前後枠材側樋部６２２及び左右枠材側樋部６３２が連結され、これにより、フレーム体６１の四周に亘って連続して樋部（前後枠材側樋部６２２及び左右枠材側樋部６３２）が形成される。
【００９３】
前後枠材６２の端面６２０は、前後枠材６２の長手方向に対して、例えば４５°傾斜して形成される。左右枠材６３の端面６３０は、左右枠材６３の長手方向に対して、例えば４５°傾斜して形成される。前後枠材６２の端面６２０及び左右枠材６３の端面６３０は、コーナー連結部材６８及びコーナー止水部材６９を介して、互いに突き合わされて接続される。なお、前後枠材６２の端面６２０及び左右枠材６３の端面６３０の傾斜角度は、４５°に限定されない。互いが傾斜面で突き合わされて接続できる角度であればよい。
【００９４】
コーナー連結部材６８は、図１２及び図１３に示すように、平面視Ｌ字状の板材により形成され、前後枠材６２の端面６２０及び左右枠材６３の端面６３０の接続部分に配置される。コーナー連結部材６８は、前後枠材６２の前後枠材側ホロー部６２１と、左右枠材６３の左右枠材側ホロー部６３１と、を連結する。
【００９５】
コーナー連結部材６８は、図１３に示すように、Ｌ字状のベース板６８１と、一対の内側立ち上がり片６８２と、一対の外側立ち上がり片６８３と、を有する。一対の内側立ち上がり片６８２は、それぞれ、Ｌ字状のベース板６８１の各辺における内側の端部において、上方に立ち上がる。一対の外側立ち上がり片６８３は、それぞれ、Ｌ字状のベース板６８１の各辺における外側の端部において、上方に立ち上がる。内側立ち上がり片６８２と外側立ち上がり片６８３とが対向する部分においては、断面形状がＵ字状に形成される。コーナー連結部材６８は、屋根体のコーナー部分６１０（図１２参照）において、前後枠材６２の前後枠材側ホロー部６２１の内部と左右枠材６３の左右枠材側ホロー部６３１とに跨って、前後枠材６２及び左右枠材６３をＬ字状に連結する。
【００９６】
コーナー止水部材６９は、図１３に示すように、前後枠材６２の端面６２０及び左右枠材６３の端面６３０の接続部分において、前後枠材６２の端面６２０及び左右枠材６３の端面６３０との間に配置される。コーナー止水部材６９と前後枠材６２とが合わされる部分、及びコーナー止水部材６９と左右枠材６３とが合わさる部分には、コーキングの処理が施されている。コーナー止水部材６９は、例えば、樹脂材料で形成される。コーナー止水部材６９は、上方から下方に窪む凹状の樋側止水部６９１と、樋側止水部６９１に連続して形成されるホロー側止水部６９２と、を有する。
【００９７】
樋側止水部６９１は、図１３に示すように、前後枠材６２の前後枠材側樋部６２２と左右枠材６３の左右枠材側樋部６３２との接続部分を止水する。樋側止水部６９１は、Ｕ字状の樋側本体枠６９１ａと、一対の樋下方側止水片６９１ｂと、一対の樋外側止水片６９１ｃと、一対の樋内側止水片６９１ｄと、を有する。
【００９８】
樋側本体枠６９１ａは、樋側止水部６９１が取り付けられた状態において、前後枠材６２の前後枠材側樋部６２２のＵ字状の端面と左右枠材６３の左右枠材側樋部６３２のＵ字状の端面との間に挟まれて配置される。
一対の樋下方側止水片６９１ｂは、コーナー止水部材６９が取り付けられた状態において、前後枠材６２の前後枠材側樋部６２２及び左右枠材６３の左右枠材側樋部６３２の底部の内面に沿って配置される。
一対の樋外側止水片６９１ｃは、コーナー止水部材６９が取り付けられた状態において、前後枠材６２の前後枠材側樋部６２２及び左右枠材６３の左右枠材側樋部６３２の外壁の内面に沿って配置される。
一対の樋内側止水片６９１ｄは、コーナー止水部材６９が取り付けられた状態において、前後枠材６２の前後枠材側樋部６２２及び左右枠材６３の左右枠材側樋部６３２の内壁の内面に沿って配置される。
【００９９】
ホロー側止水部６９２は、図１３に示すように、開口部６９２ａが形成されたホロー側本体枠６９２ｂと、一対のホロー下方側片６９２ｃと、一対のホロー上方側片６９２ｄと、を有する。ホロー側止水部６９２の開口部６９２ａには、コーナー止水部材６９が取り付けられた状態において、コーナー連結部材６８が挿通されており、コーナー連結部材６８の屈曲部分が配置される。
【０１００】
ホロー側本体枠６９２ｂは、コーナー止水部材６９が取り付けられた状態において、前後枠材６２の前後枠材側ホロー部６２１の開口状の端面と左右枠材６３の左右枠材側ホロー部６３１の開口状の端面との間に挟まれて配置される。
一対のホロー下方側片６９２ｃは、コーナー止水部材６９が取り付けられた状態において、前後枠材６２の前後枠材側ホロー部６２１及び左右枠材６３の左右枠材側ホロー部６３１の底部の下面に沿って配置される。
一対のホロー上方側片６９２ｄは、コーナー止水部材６９が取り付けられた状態において、前後枠材６２の前後枠材側ホロー部６２１及び左右枠材６３の左右枠材側ホロー部６３１の上部の下面に沿って配置される。
【０１０１】
以上のように、屋根体６のコーナー部分６１０において、前後枠材６２の端面６２０と左右枠材６３の端面６３０とを連結する場合には、前後枠材６２と左右枠材６３との間に、コーナー止水部材６９を配置した状態で、コーナー連結部材６８で連結する。これにより、前後枠材６２と左右枠材６３とを強固に連結すると共に、屋根体６のコーナー部分６１０において、前後枠材６２と左右枠材６３との間の止水性能を向上できる。
【０１０２】
また、屋根体６のコーナー部分６１０において、前後枠材６２の傾斜した端面６２０及び左右枠材６３の傾斜した端面６３０が互いに突き合わされて接続されるため、互いの接続部分が角部を頂点に位置させることができる。これにより、前後枠材６２及び左右枠材６３の接続部分が外部から視認しにくく、意匠性を向上できる。
【０１０３】
また、前後枠材６２の前後枠材側樋部６２２及び左右枠材６３の左右枠材側樋部６３２には、それぞれ、屋根体６のコーナー部分６１０を補強するために、コーナー部分６１０の接続部分から所定距離離間した位置に、図１２に示すように、補強スリーブ６５１（補強部材）が配置される。補強スリーブ６５１は、コーナー部分６１０から所定距離離間した位置において、前後枠材側樋部６２２及び左右枠材側樋部６３２の内部に配置され、前後枠材側樋部６２２又は左右枠材側樋部６３２が延びる方向に沿って所定長さ延びる。
【０１０４】
補強スリーブ６５１は、図１４に示すように、前後枠材側樋部６２２及び左右枠材側樋部６３２の断面形状に沿って形成され、断面形状が上方に開放したＵ字状に形成される。補強スリーブ６５１が前後枠材側樋部６２２及び左右枠材側樋部６３２の内部に配置されることで、屋根体６のコーナー部分６１０において、前後枠材６２の端部と左右枠材６３との端部における歪みを軽減できる。補強スリーブ６５１は、例えば、アルミ材料で形成される。
【０１０５】
補強スリーブ６５１と前後枠材側樋部６２２との間、及び補強スリーブ６５１と左右枠材側樋部６３２との間には、発泡材料で形成された止水部材６５２（発泡部材）が配置される。止水部材６５２は、断面形状がＵ字状に形成され、補強スリーブ６５１と同じ位置において、略同じ長さに形成される。本実施形態では、止水部材６５２として、例えば、ＥＰＤＭ（エチレン・プロピレン・ジエンゴム）の発泡体を用いている。これにより、補強スリーブ６５１と前後枠材側樋部６２２との間、及び補強スリーブ６５１と左右枠材側樋部６３２との間に水が滞留することを抑制できる。なお、本実施形態においては、補強スリーブ６５１及び止水部材６５２を、左右枠材６３の左右枠材側樋部６３２に配置した構成を図示して説明したが、前後枠材６２の前後枠材側樋部６２２についても同様である。
【０１０６】
以上のように、補強スリーブ６５１及び止水部材６５２を設けることで、前後枠材６２及び左右枠材６３の形材が製造時の押出し成形などにより歪んで成形された場合であっても、補強スリーブ６５１により、コーナー部分６１０における前後枠材６２及び左右枠材６３の歪みを強制して、前後枠材６２の端部及び左右枠材６３の端部の形を整えることができる。これにより、コーナー部分６１０において、前後枠材６２の前後枠材側樋部６２２及び左右枠材６３の左右枠材側樋部６３２の接続部分における止水性能を一層向上できる。また、止水部材６５２により、前後枠材６２の前後枠材側樋部６２２と補強スリーブ６５１との間や、左右枠材６３の左右枠材側樋部６３２と補強スリーブ６５１との間に、水が滞留することを抑制できる。従って、止水性能を一層向上できる。
【０１０７】
また、コーナー部分６１０の接続部分から所定距離離間した位置に補強スリーブ６５１及び止水部材６５２を設けている。そのため、コーナー部分６１０の接続部分において、コーナー止水部材６９と前後枠材６２とが合わさる部分にコーキングの処理を施す場合や、コーナー止水部材６９と左右枠材６３とが合わさる部分にコーキングの処理を施す場合に、補強スリーブ６５１及び止水部材６５２がコーキングの処理の邪魔にならないため、コーキングの処理を施す際の施工性が良好である。
【０１０８】
また、本実施形態においては、左右枠材６３は、図１２に示すように、複数の左右枠材構成部材６４０が屋根体６の前後方向に直線状に並べられて構成されている。隣接する複数の左右枠材構成部材６４０の接続部分には、繋ぎ補強スリーブ６５５が配置される。
【０１０９】
繋ぎ補強スリーブ６５５は、前述の補強スリーブ６５１と同様の部材を用いることができる。繋ぎ補強スリーブ６５５は、図１４に示すように、左右枠材６３を構成する複数の左右枠材構成部材６４０の断面形状に沿って形成され、断面形状が上方に開放したＵ字状に形成される。
【０１１０】
繋ぎ補強スリーブ６５５は、隣接する左右枠材構成部材６４０を接続するように、左右枠材構成部材６４０の内部において、隣接する左右枠材構成部材６４０に跨って配置される。繋ぎ補強スリーブ６５５が隣接する左右枠材構成部材６４０の内部に配置されることで、隣接する左右枠材構成部材６４０の接続部分を補強して、左右枠材６３の強度を向上させることができる。繋ぎ補強スリーブ６５５は、例えば、アルミ材料で形成される。
【０１１１】
繋ぎ補強スリーブ６５５と左右枠材構成部材６４０との間には、発泡材料で形成された繋ぎ止水部材６５６（発泡部材）が配置される。繋ぎ止水部材６５６は、前述の止水部材６５２と同様の部材を用いることができる。繋ぎ止水部材６５６断面形状がＵ字状に形成され、繋ぎ補強スリーブ６５５と同じ位置において、略同じ長さに形成される。本実施形態では、繋ぎ止水部材６５６として、例えば、ＥＰＤＭ（エチレン・プロピレン・ジエンゴム）の発泡体を用いている。これにより、繋ぎ補強スリーブ６５５と左右枠材構成部材６４０との間に水が滞留することを抑制できる。そして、隣接する左右枠材構成部材６４０の接続部分から水が落下することを抑制できる。
【０１１２】
以上説明した本実施形態のシェルター１の屋根体６によれば、以下のような効果を奏する。
本実施形態においては、屋根体６は、所定方向に延びる一対の前後枠材６２と、一対の前後枠材６２に直交して延びる一対の左右枠材６３と、が方形状に枠組みされて形成されたフレーム体６１と、一対の前後枠材６２の間に複数並んで配置される複数の中間部材６４と、一対の第１枠材６２の間に複数並んで配置され、隣接する中間アーチ６４それぞれに連結される複数のパネル材６７と、複数のパネル材６７が並ぶ方向に延びて形成され、複数のパネル材６７の長手方向の端部を上方から押さえると共に、複数の中間アーチ６４の長手方向の端部の少なくとも一部を覆うように配置される左右枠材側パネル端部押さえ部材６３３と、を備える。
【０１１３】
そのため、左右枠材側パネル端部押さえ部材６３３は、パネル材６７の端部を押さえる構成と、中間アーチ６４の中間アーチカバー部材７５の端部の小口面７５１を覆う構成とを兼ねる。これにより、部品点数を削減でき、製造コストを低減できる。また、外観上もスッキリとするため、意匠性を向上できる。
【０１１４】
また、本実施形態においては、左右枠材側パネル端部押さえ部材６３３は、複数のパネル材６７を押さえる側の端部において、中間アーチ６４が配置される部分において切り欠かれて形成される切り欠き部６３８ａを有する。そのため、切り欠き部６３８ａには、中間アーチ６４の端部を配置することができる。これにより、中間アーチ６４の端部を配置するスペースを確保して、外観上もスッキリとするため、意匠性を一層向上できる。
【０１１５】
また、本実施形態においては、左右枠材６３の上面には、左右枠材側樋部６３２が形成され、左右枠材側パネル端部押さえ部材６３３は、中間アーチ６４部材の長手方向の端部の少なくとも一部を覆う部分において、複数のパネル材６７の上面を流れる水を左右枠材側樋部６３２に流すように開口する切欠き開口６３９を有する。そのため、切り欠き開口６３９を介して、複数のパネル材６７の上面を流れる水を左右枠材側樋部６３２に流すことができる。これにより、排水性能を向上できる。
【０１１６】
以上、本発明のシェルター１の好ましい一実施形態について説明したが、本発明は、上述した実施形態に制限されるものではなく、適宜変更が可能である。
例えば、前記実施形態では、シェルター１を、屋根体６を左右方向の両側それぞれにおいて一対の支柱２で支持する、いわゆる、両支持構造のシェルター１により説明したが、これに限定されず、屋根体６を左右方向の一方の端部を支柱で支持する、いわゆる、片支持構造のシェルターでもよい。また、本実施形態のシェルター１は、支柱２の上端部に屋根体６が置かれる置き構造としたが、これに限定されず、両支持構造及び片支持構造のシェルターいずれの場合においても、屋根体６が梁に吊られる吊り構造としてもよい。
【０１１７】
例えば、本発明を片支持構造のシェルターに適用した変形形態について説明する。図１３は、片支持構造のシェルター１Ａを示す斜視図である。変形形態の説明にあたって、前記実施形態の構成と異なる構成について主に説明し、前記実施形態の構成と同一の構成については同一符号を付し、その説明を省略もしくは簡略化する。
【０１１８】
図１３に示すように、変形形態の片支持構造のシェルター１Ａは、主に、前記実施形態のシェルター１（図１等参照）の両支持構造を片支持構造に変更した形態であり、屋根体６の構成は、前記実施形態の屋根体６の構成と同様である。シェルター１Ａは、屋根体６と、屋根体６の一方側に配置される２つの支柱２と、２つの梁４と、吊金具５と、を備える。シェルター１Ａは、屋根体６が一方側において支柱２に支持される片支持構造である。また、屋根体６は、吊金具５を介して、梁４に吊られる吊り構造である。変形形態のシェルター１Ａの屋根体６においても、前記実施形態のシェルター１の屋根体６と同様の効果を奏することができる。
【０１１９】
また、前記実施形態においては、フレーム体を水平（フラット）に形成したが、これに限定されない。例えば、フレーム体をアーチ状に形成してもよい。
【０１２０】
また、前記実施形態においては、中間アーチ６４を湾曲した状に形成したが、これに限定されず、中間アーチ６４を水平方向に延びる形状としてもよい。
【符号の説明】
【０１２１】
６  屋根体
６１  フレーム体
６２  前後枠材（第１枠材）
６３  左右枠材（第２枠材）
６４  中間アーチ（中間部材）
６７  パネル材
６７１  中間パネル材（パネル材）
６７２  端部パネル材（パネル材）
６３２  左右枠材側樋部（枠材側樋）
６３３  左右枠材側パネル端部押さえ部材（パネル押さえ部材）
６３８ａ  切り欠き部
６３９  切欠き開口（開口部）
【図１】
2019127756.tif 000003
【図２】
2019127756.tif 000004
【図３】
2019127756.tif 000005
【図４】
2019127756.tif 000006
【図５】
2019127756.tif 000007
【図６】
2019127756.tif 000008
【図７】
2019127756.tif 000009
【図８Ａ】
2019127756.tif 000010
【図８Ｂ】
2019127756.tif 000011
【図９】
2019127756.tif 000012
【図１０】
2019127756.tif 000013
【図１１】
2019127756.tif 000014
【図１２】
2019127756.tif 000015
【図１３】
2019127756.tif 000016
【図１４】
2019127756.tif 000017
【図１５】
2019127756.tif 000018